(57)【要約】【課題】口許及び鼻の部位に合わせて着用することにより、塵の粒子を隔離することを可能とするマスクの構造を提供する。【解決手段】本考案のマスクの構造は、弾性を具える布地によって成型される主体１と副体２から構成され、該主体１の中心部の上辺と下辺にはそれぞれ鋭角の隙間１１、１２を具え、該隙間１１、１２の両辺共にアーチ型の辺を形成し、またそれに相対する両側には、対応する耳掛け部１３を具え、二つの隙間１１、１２と両側の掛け耳部１３の間には口許及び鼻を覆うカバー区域を構成し、さらに対応する輪郭と対応する形状の副体２とが再び結合し、該上端、下端の隙間１１、１２の両側のアーチ辺が相互に固定結合されることによって、立体的な口許及び鼻を覆うカバー部を形成する。【選択図】図１
0003120748.tif 000002
【実用新案登録請求の範囲】
【請求項１】
弾性を具えた布地によって一体成型されてなる主体に係り、その中心の上端、下端にはそれぞれ隙間を具え、
該主体に相対して、両側には対称となる耳掛け部を具え、
さらに上端、下端の隙間と両側の耳掛け部の区域が口許及び鼻の覆い部を構成し、
前記主体の口許及び鼻の覆い区域の形状に対応するために布地を以って一体成型してなる副体は主体の口許及び鼻の覆い部に結合固定することに係り、
前述の主体、副体の上端、下端の隙間の両側の辺はそれぞれ対称的なアーチ辺に形成され、並びに両辺のアーチ辺は相互に結合固定することによって、口許及び鼻の覆い区域を口許及び鼻の覆い部に形成することを特徴とするマスクの構造。
【請求項２】
前記主体と副体の周辺が複数の熱溶接の接点によって相互に固定結合されてなることを特徴とする請求項１記載のマスクの構造。
【請求項３】
前記副体が弾性を具えた布地であることを特徴とする請求項１記載のマスクの構造。
【請求項４】
前記副体が活性炭を加えた材質布と結合することを特徴とする請求項１記載のマスクの構造。
【請求項５】
前記上端の隙間が下端の隙間よりも小さいことを特徴とする請求項１或いは２記載のマスクの構造。
【請求項６】
前記副体が複数の片に係ることが可能であることを特徴とする請求項１或いは２記載のマスクの構造。
【考案の詳細な説明】
【技術分野】
【０００１】
本考案は口許及び鼻の部位に合わせて着用することにより、塵の粒子を隔離することに係る。
【背景技術】
【０００２】
公知のマスクの中には、通常マスク本体上に多層の平面のガーゼ層を設け、さらにはマスク本体の両側に使用者の耳にに掛けるゴムを設ける構造がある。
しかし、公知のマスクは顔の形にぴったりと張り付くことができないゆえに濾過効果が良くない上に、ガーゼ層が使用者の唇部と接触し易くなってしまうため、女性使用者は唇に塗った口紅を拭き落としなければならなく、さらに会話時にはマスクを外さないと十分に伝達ができなかったり、その他に会話時に顔部の筋肉運動によって起こるマスクが滑り落ちてしまったりして着用が心地よくないと感じる。
【０００３】
また、他の公知のマスクは単層の紙材、或いは不織布などの布地によって、屋外用のガーゼ外層に取って代わり、平面な形式を成型する。
しかしながら、紙製のマスクは極めて湿りや破壊を受け易く、さらに紙製、或いは不織布製のマスクに関わらず、平面的な設計は使用者の唇部に張り付いてしまうために使用者が話すのに影響し、加えて女性使用者の唇上の口紅が付いてしまう可能性がある。
【０００４】
台湾特許公開第２００５１２０２５号が提供するマスクによって、上述の公知のマスクの問題を解決することが可能であり、それは主に、対称する二片の不織布のそれぞれの側辺を相互に圧しつけて貼り合わせることによって本体を構成する。そのため、圧しつけて貼り合わせた所には粘着片が形成されてなり、粘着片の付近にはマスク本体の下の縁の一端に形成される曲折端があり、該曲折端箇所には別に粘着片と相互に接続する副粘着片から設けられてなり、二つの不織布体が引き止める力を受けた時に、曲折端によって力を分散し、マスク本体の完備性を保持する。引き止める力が大きすぎて、二つの不織布体の下縁に分離が生じる時、分離状態は副粘着片の制止によって分離し続けることはない。
しかし、二片の不織布体が分離して曲折端と副粘着片となることを防止し、さらに不織布片体自身にも弾性を具えさせ、マスクの両端が引っ張られた時、二片の不織布の分離を防止することが可能となるが、不織布体は引っ張る力を受けて変形してしまうため、装着時に不快感を生じさせる。
本考案人が以前に申請した台湾申請第８５２１４０１９号もこのような欠点を有していた。
【０００５】
また、日本国特許第３６６００３６号及び日本国特許第３６６００３７号の二つの特許によって提供されてなるマスクは、マスク本体の覆い部に二つの加工と、異なる材質をカバーして設置してなることによって、覆い部と耳掛け部の張力を異なるものとさせ、或いは覆い部と耳掛け部の連接箇所に異なった材質を使用し、異なる張力を生じさせる。そのため、マスクを引っ張って使用する時、覆い部は依然として完全なる形を保持してなり、耳掛け部の伸縮度は緩やかなものとなる。
しかし、マスク本体は依然として二片の相互につり合う不織布体によって結合されてなるため、製造工程が繁雑なものになってしまいがちである。
【特許文献１】台湾特許公開第２００５１２０２５号
【特許文献２】台湾申請第８５２１４０１９号
【特許文献３】日本国特許第３６６００３６号
【特許文献４】日本国特許第３６６００３７号
【考案の開示】
【考案が解決しようとする課題】
【０００６】
上述の公知技術の問題点を解決するために、本考案は、口許及び鼻の部位に合わせて着用することにより、塵の粒子を隔離することを可能とするマスクの構造を提供する。
【課題を解決するための手段】
【０００７】
上記課題を解決するために、本考案は、下記の特徴を有するマスクの構造を提供する。
１．請求項１に記載のマスクの構造は、弾性を具えた布地によって一体成型されてなる主体に係り、その中心の上端、下端にはそれぞれ隙間を具え、該主体に相対して、両側には対称となる耳掛け部を具え、さらに上端、下端の隙間と両側の耳掛け部の区域が口許及び鼻の覆い部を構成し、前記主体の口許及び鼻の覆い区域の形状に対応するために布地を以って一体成型してなる副体は主体の口許及び鼻の覆い部に結合固定することに係り、前述の主体、副体の上端、下端の隙間の両側の辺はそれぞれ対称的なアーチ辺に形成され、並びに両辺のアーチ辺は相互に結合固定することによって、口許及び鼻の覆い区域を口許及び鼻の覆い部に形成することを特徴とする。
２．請求項２に記載のマスクの構造は、請求項１の場合において、前記主体と副体の周辺が複数の熱溶接の接点によって相互に固定結合されてなることを特徴とする。
３．請求項３に記載のマスクの構造は、請求項１の場合において、前記副体が弾性を具えた布地であることを特徴とする。
４．請求項４に記載のマスクの構造は、請求項１の場合において、前記副体が活性炭を加えた材質布と結合することを特徴とする。
５．請求項５に記載のマスクの構造は、請求項１或いは２の場合において、前記上端の隙間が下端の隙間よりも小さいことを特徴とする。
６．請求項６に記載のマスクの構造は、請求項１或いは２の場合において、前記副体が複数の片に係ることが可能であることを特徴とする。
【考案の効果】
【０００８】
使用者は装着する際に耳掛け部を引っ張った時に、耳掛け部のみ変形が生じ、口許及び鼻の覆い部を変形し難くする。
【０００９】
上端、下端の斜辺に間の構造を鼻筋と口部を収容することが可能な空間を構成することができ、それによって片体の内面が口部に張り付くことによる、女性使用者の唇上の口紅が影響を受けることを防ぐ。
【００１０】
口許及び鼻の覆い部は比較的高い硬度が具わり、使用者が耳掛け部を耳の付近まで引っ張る時、耳掛け部のみが伸ばされる力を受けて変形し、それに対し口許及び鼻の覆い部は硬度があるために変形しない。さらに、装着時にぴったりと張り付くということがないため、使用者が快適に使用できるようにする。
【００１１】
このほかに、本考案は両側の隙間をアーチ辺に設けることによって、二つのアーチ辺を互いに結合し、口許及び鼻の覆い区域に形成した後に、マスクの上端、下端はそれぞれ鼻筋と下顎において密着でき、さらに中間区域は口腔の通気室として形成されてなる。
【００１２】
また、本考案の副体は弾性の不織布を採用することができるほかに、市場の需要に応じて、活性炭を加えた材質布、ポリエチレン材質の織布等の機能性のある材質を採用することによってより良い濾過の効果を獲得することも可能である。
【００１３】
本考案の主体と副体の結合は、接点を複数の熱溶接によって結合することを採用することが可能であり、点と点との間の隙間によって主体と副体の間は完全に密封されることがなく、それによってマスク全体が僅かながらも弾性を保つことができるようにし、マスクを展開後により良い覆い包みの効果を生じさせる。
【００１４】
台湾特許公開番号第２００５１２０２５、台湾申請第８５２１４０１９号、日本特許第３６６００３６号及び特許第３６６００３７号等の以前の特許案と比較して、本考案の特徴としては、マスクの一部分の主体を一体成型の技術によってなることを採用してなることであり、以前の特許案は二片のつり合った片体を一緒に結合する方法を採用しており、それに比べて本考案の主体の製造過程は更に簡素化されてなり、製造コストもさらに安いほかに、本考案の副体には主体の耳掛け部が具わらないこと以外に、実際的に主体の口許及び鼻の覆い区域の輪郭の形状に対応してなり、さらに副体のモジュールの製造はコストの多大なる増加に至らない。それに、主体に副体を結合した後には口許及び鼻の覆い区域の硬度と強度が増加されることが可能であり、加えて立体の口許及び鼻の覆い部に形成した後、耳掛け部を引っ張っても、口許及び鼻の覆い部の変形が生じないために装着時に更なる密接感と快適感を提供することができる。
【考案を実施するための最良の形態】
【００１５】
図１に示されるように、本考案はマスクを提供してなり、それは主に一体成型の技術により、適合する弾性を具えた布地によって一体成型されてなる主体１と副体２に係る。其の中で主体１の形態は弾性を具えた布地によって一体成型されてなり、さらにその中心の上端、下端にはそれぞれに隙間１１と隙間１２が具えられてなり、並びに主体１と相対してなる両側にはつり合った耳掛け部１３が具えられてなり、該隙間１１と隙間１２の両側はつり合ったアーチ辺を形成してなり、二つの隙間と両側の耳掛け部１３の間の区域には口許及び鼻の覆い区域が構成されてなり、主体１の周辺は流線型としてなることによって、できるだけ人体工学における顔部に適合する。
【００１６】
前記副体２は弾性の布体、或いは機能性の材質（例えば、活性炭が加えられた布地、ポリエチレン材質の織等）を採用することが可能であり、並びに一体成型されてなる。
該副体２は耳掛け部が具わらないこと以外には、主に前記主体１に対応する口許及び鼻の覆い区域の形状をしてなる。また、副体２は同様に中心の上端、下端にそれぞれ隙間２１と隙間２２を具えてなる。
【００１７】
本考案の比較的好ましい実施例としては、副体２を主体１の口許及び鼻の覆い区域の上に置いた後に、さらに熱溶接技術を主体として主体１と副体２の周辺を互いに押し合って固定してなる。ただし、隙間１１、２１及び隙間１２、２２は未だ熱溶接されていない（図２及び図３を参照）。
その後、すでに一体に結合されてなる主体１、副体２を他の溶接機械によって隙間１１、２１及び隙間１２、２２の両側を熱溶接によって固定結合することにより、口許及び鼻の覆い区域を口及び鼻を収容することが可能な立体の口許及び鼻の覆い部（図４を参照）を構成してなる。
【００１８】
本考案は、主体１に於いて副体２を結合してなることのより、口許及び鼻の覆い区域の硬度と強度を増し、さらに立体的に口許及び鼻の覆い部を形成することによって、装着時に使用者が耳掛け部を引っ張る時に口許及び鼻の覆い部の変形が生じず、それによって装着する時にさらに密着し、快適な使い心地を提供する。
【００１９】
本考案の更なる特徴としては、隙間１１、２１及び隙間１２、２２の両側をアーチ辺に設けることであり、それによって、両アーチ辺は相互に結合した後に使用者の鼻筋及び下顎をマスク上端、下端に於いて密着させることができ、さらに中間区域の熱溶接が施されていない連接部分は口腔に近接しない空気室を形成してなり、使用をより快適なものとする。
【００２０】
この他に、本考案の主体１及び副体２の結合は複数の熱溶接の接点によって結合する方法を採用することが可能であり、点と点との間の隙間によって主体１と副体２の間は完全に密封されることはなく、それによってマスク全体は多少の弾性を保ち、マスクを展開後にさらによりよいフィット（覆い感）の効果を提供する。
【００２１】
本考案の副体２はマスクの功能により弾性の布体、或いは機能性の材質（例えば、活性炭を加えた材質布、ポリエチレン材質の織布等）以外を採用することが可能であり、主体１と結合し、さらには複数の片を相互に結合することによってマスクの功能及び強度を増すことができる。
【００２２】
本考案では好ましい実施例を上述のように開示したが、これらは決して本考案に限定するものではなく、本考案の精神と領域を脱しない範囲内で各種の変動や潤色を加えることができ、従って本考案の保護範囲は実用新案請求の範囲で指定した内容を基準とする。
【図面の簡単な説明】
【００２３】
【図１】本考案の平面分解図である。
【図２】本考案の平面俯瞰図である。
【図３】本考案の前視平面図である。
【図４】本考案の立体的な口許及び鼻の覆い部の立体図である。
【図５】本考案のの側面図である。
【符号の説明】
【００２４】
１    主体
１１  隙間
１２  隙間
１３  耳掛け部
２    副体
２１  隙間
２２  隙間
【図１】
0003120748.tif 000003
【図２】
0003120748.tif 000004
【図３】
0003120748.tif 000005
【図４】
0003120748.tif 000006
【図５】
0003120748.tif 000007